(57)【要約】【課題】インターネット上で得られる商品情報と、現実のショップから得られる商品情報を一元管理し、利用者の利便性をより向上させる可能性のある方法を提供すること。【解決手段】サービス提供者のサーバは、インターネット上の仮想ショップで検索された商品情報と、現実のショップで得られたデジタル商品情報とを、ブックマークとして一元管理するウォレットを、利用者識別情報と共に記憶し、記憶された当該ウォレットを、当該利用者の要求に応じて、インターネット・ブラウザ上に、所定の機能のメニューを備えたツールバーと共に商品情報として表示し、当該利用者が、当該ツールバー上の機能を選択することに応じて、当該所定の機能を実行する。【選択図】図３
2007156806.tif 000002
【特許請求の範囲】
【請求項１】
利用者の興味ある商品情報をインターネット・ブラウザ上で管理する方法であって、
利用者により、インターネット上の仮想ショップで検索された商品情報と現実のショップで得られた商品情報とを、ブックマークとして一元管理するウォレット・データを、利用者識別情報と共に記憶するステップと、
記憶された前記ウォレット・データを、前記利用者の要求に応じて、インターネット・ブラウザ上の所定の機能のメニューを備えたツールバーと共に商品情報として表示するステップと、
前記利用者による前記ツールバーの所定の機能の選択に応じて、前記所定の機能を実行するステップと、
を備える、方法。
【請求項２】
前記ウォレット・データの更新情報をサービス提供者のサーバの履歴データベースに記憶する履歴データ記憶ステップを更に備える、請求項１に記載の方法。
【請求項３】
前記所定の機能は、商品購入機能または商品比較機能の少なくとも一つを含む、請求項１または請求項２に記載の方法。
【請求項４】
前記所定の機能は、商品決済機能を更に含む、請求項１または請求項２に記載の方法。
【請求項５】
利用者の興味ある商品情報を管理させるためのサーバであって、
利用者により、インターネット上の仮想ショップで検索された商品情報と現実のショップで得られた商品情報とを、前記利用者の端末から受信する手段と、
受信した前記商品情報をブックマークとして一元管理するウォレット・データを利用者識別情報と共に記憶するウォレット・データ記憶手段と、
記憶された前記ウォレット・データを、前記利用者の端末の要求に応じて、前記利用者の端末に一元管理商品情報として表示させるためのウォレット・データ送信手段と、
前記利用者の端末のインターネット・ブラウザに備えられたツールバー上の所定の機能の選択に応じて、前記所定の機能を実行するツールバー機能実行手段と、
を備える、サーバ。
【請求項６】
前記ウォレット・データの更新情報を履歴データベースに記憶する手段を更に備える、請求項５に記載のサーバ。
【請求項７】
前記所定の機能は、商品購入機能または商品比較機能の少なくとも一つを含む、請求項５または請求項６に記載のサーバ。
【請求項８】
前記所定の機能は、商品決済機能を更に含む、請求項５または請求項６に記載のサーバ。
【請求項９】
利用者の興味ある商品情報を管理させるためのコンピュータ・プログラムであって、サーバに、
利用者により、インターネット上の仮想ショップで検索された商品情報と現実のショップで得られた商品情報とを、ブックマークとして一元管理するウォレット・データを、利用者識別情報と共に記憶するウォレット・データ記憶ステップと、
記憶された前記ウォレット・データを、前記利用者の端末からの要求に応じて、前記利用者の端末に、一元管理商品情報として表示させるためのウォレット・データ送信ステップと、
前記利用者の端末のインターネット・ブラウザに備えられたツールバーの所定の機能の選択に応じて、前記所定の機能を実行するツールバー機能実行ステップと、
を実行させるコンピュータ・プログラム。
【請求項１０】
前記ウォレット・データの更新情報をサービス提供者の履歴データベースに記憶する履歴データ記憶ステップを更にサーバに実行させる、請求項９に記載のコンピュータ・プログラム。
【請求項１１】
前記所定の機能は、商品購入機能または商品比較機能の少なくとも一つを含む、請求項９または請求項１０に記載のコンピュータ・プログラム。
【請求項１２】
前記所定の機能は、商品決済機能を更に含む、請求項９または請求項１０に記載のコンピュータ・プログラム。
【発明の詳細な説明】
【技術分野】
【０００１】
本発明は、ショッピングにおける商品情報を管理する方法、システムおよびプログラムに関する。さらに詳しくは、利用者が興味ある商品情報をインターネット・ブラウザ上で一元管理する方法、システムおよびプログラムに関する。
【背景技術】
【０００２】
近年、インターネット・ショッピングの急速な普及に伴い、利用者がよりインターネット上で商品の購入を行い易くする方法が提案されている。例えば、特許文献１では、インターネット・ブラウザのツールバーに「ショッピング・アシスト・ボタン」を追加し、買物客用のウォレットをサーバ上のデータベース内に作成する方法などが提案されている。
【特許文献１】特表２００５−５０８０３５号公報
【発明の開示】
【発明が解決しようとする課題】
【０００３】
しかしながら、従来の方法は、インターネット上から得られる商品情報をベースとしたショピングを主な対象とし、インターネット以外、例えば現実のショップ等から得られる情報については十分に考慮されていない。
【０００４】
商品の購入を考える利用者は、まず、インターネット上で興味ある商品の情報を検索し、その検索結果からリンクされたインターネット上の仮想ショップで商品を購入する。あるいは、その検索した情報を元にして、購入自体は実際の商品を手にとった後、現実のショップで行うことも多い。また逆に、２次元コードなど商品やカタログに添付されたデジタル情報の読み取り機能を備えた携帯電話機などの普及によって、現実のショップで商品情報を携帯電話機などに読み取り、その情報を参照してインターネット上の一番安いショップで購入したいと考えることもある。
【０００５】
このように、利用者は、インターネット上のショップ（Ｖｉｒｔｕａｌ  Ｓｈｏｐ）と現実のショップ（Ｒｅａｌ  Ｓｈｏｐ）とのそれぞれの利便性をうまく両立させショッピングを行いたいと考え、両者がシームレスに扱える環境を望んでいる。
【課題を解決するための手段】
【０００６】
そこで、本発明では、インターネット上で得られる商品情報と、現実のショップから得られる商品情報を一元管理し、利用者の利便性をより向上させる可能性のある方法を提供することを目的とする。具体的には、次のようなものを提供する。
【０００７】
（１）  利用者の興味ある商品情報をインターネット・ブラウザ上で管理する方法であって、
利用者により、インターネット上の仮想ショップで検索された商品情報と現実のショップで得られた商品情報とを、ブックマークとして一元管理するウォレット・データを、利用者識別情報と共に記憶するステップと、
記憶された前記ウォレット・データを、前記利用者の要求に応じて、インターネット・ブラウザ上の所定の機能のメニューを備えたツールバーと共に商品情報として表示するステップと、
前記利用者による前記ツールバーの所定の機能の選択に応じて、前記所定の機能を実行するステップと、
を備える、方法。
【０００８】
（１）の発明によれば、サービス提供者のサーバは、利用者により、インターネット上の仮想ショップで検索された商品情報と現実のショップで得られた商品情報とを、ブックマークとして一元管理するウォレット・データを、利用者識別情報と共に記憶する。また、記憶された当該ウォレット・データを、当該利用者の要求に応じて、インターネット・ブラウザ上の所定の機能のメニューを備えたツールバーと共に商品情報として表示し、当該利用者による当該ツールバーの所定の機能の選択に応じて、当該所定の機能を実行する。
【０００９】
このことにより、商品の購入を考える利用者は、インターネット上の仮想ショップと現実のショップとから得られた情報を一元的に管理することができ、その商品情報と共に表示されたツールバー上の機能を選択することにより、所定のショッピングに関する機能を簡便に実行させることができる。
【００１０】
（２）  前記ウォレット・データの更新情報をサービス提供者のサーバの履歴データベースに記憶する履歴データ記憶ステップを更に備える、（１）に記載の方法。
【００１１】
（２）の発明によれば、サービス提供者のサーバは、前記ウォレット・データの更新情報を履歴データベースに記憶する。
【００１２】
このことにより、利用者は、インターネット上の仮想ショップと現実のショップに関わらず、すべての買い物履歴を一元管理することができる。
【００１３】
（３）  前記所定の機能は、商品購入機能または商品比較機能の少なくとも一つを含む、（１）または（２）に記載の方法。
【００１４】
（３）の発明によれば、サービス提供者のサーバは、前記利用者の要求に応じて、商品購入機能または商品比較機能の少なくとも一つを実行することができる。
【００１５】
このことにより、利用者は、前記ツールバーから、商品の購入ページに跳んだり、当該商品購入機能に対応したサイトであれば直接購入の注文を出したりすることができる。また、ウォレット・データとして記憶されたすべての商品情報を比較表示することができる。
【００１６】
（４）  前記所定の機能は、商品決済機能を更に含む、（１）または（２）に記載の方法。
【００１７】
（４）の発明によれば、サービス提供者のサーバは、前記利用者の要求に応じて、商品決済機能を実行することができる。
【００１８】
このことにより、利用者は、前記ツールバーから、当該商品決済機能に対応したサイトであれば、直接購入の注文から決済までを行うことができる。
【００１９】
（５）  利用者の興味ある商品情報を管理させるためのサーバであって、
利用者により、インターネット上の仮想ショップで検索された商品情報と現実のショップで得られた商品情報とを、前記利用者の端末から受信する手段と、
受信した前記商品情報をブックマークとして一元管理するウォレット・データを利用者識別情報と共に記憶するウォレット・データ記憶手段と、
記憶された前記ウォレット・データを、前記利用者の端末の要求に応じて、前記利用者の端末に一元管理商品情報として表示させるためのウォレット・データ送信手段と、
前記利用者の端末のインターネット・ブラウザに備えられたツールバー上の所定の機能の選択に応じて、前記所定の機能を実行するツールバー機能実行手段と、
を備える、サーバ。
【００２０】
（５）の発明によれば、当該サーバを運用することにより、（１）と同様の効果が期待できる。
【００２１】
（６）  前記ウォレット・データの更新情報を履歴データベースに記憶する手段を更に備える、（５）に記載のサーバ。
【００２２】
（６）の発明によれば、当該サーバを運用することにより、（２）と同様の効果が期待できる。
【００２３】
（７）  前記所定の機能は、商品購入機能または商品比較機能の少なくとも一つを含む、（５）または（６）に記載のサーバ。
【００２４】
（７）の発明によれば、当該サーバを運用することにより、（３）と同様の効果が期待できる。
【００２５】
（８）  前記所定の機能は、商品決済機能を更に含む、（５）または（６）に記載のサーバ。
【００２６】
（８）の発明によれば、当該サーバを運用することにより、（４）と同様の効果が期待できる。
【００２７】
（９）  利用者の興味ある商品情報を管理させるためのコンピュータ・プログラムであって、サーバに、
利用者により、インターネット上の仮想ショップで検索された商品情報と現実のショップで得られた商品情報とを、ブックマークとして一元管理するウォレット・データを、利用者識別情報と共に記憶するウォレット・データ記憶ステップと、
記憶された前記ウォレット・データを、前記利用者の端末からの要求に応じて、前記利用者の端末に、一元管理商品情報として表示させるためのウォレット・データ送信ステップと、
前記利用者の端末のインターネット・ブラウザに備えられたツールバーの所定の機能の選択に応じて、前記所定の機能を実行するツールバー機能実行ステップと、
を実行させるコンピュータ・プログラム。
【００２８】
（９）の発明によれば、当該コンピュータ・プログラムを実行することにより、（１）と同様の効果が期待できる。
【００２９】
（１０）  前記ウォレット・データの更新情報をサービス提供者の履歴データベースに記憶する履歴データ記憶ステップを更にサーバに実行させる、（９）に記載のコンピュータ・プログラム。
【００３０】
（１０）の発明によれば、当該コンピュータ・プログラムを実行することにより、（２）と同様の効果が期待できる。
【００３１】
（１１）  前記所定の機能は、商品購入機能または商品比較機能の少なくとも一つを含む、（９）または（１０）に記載のコンピュータ・プログラム。
【００３２】
（１１）の発明によれば、当該コンピュータ・プログラムを実行することにより、（３）と同様の効果が期待できる。
【００３３】
（１２）  前記所定の機能は、商品決済機能を更に含む、（９）または（１０）に記載のコンピュータ・プログラム。
【００３４】
（１２）の発明によれば、当該コンピュータ・プログラムを実行することにより、（４）と同様の効果が期待できる。
【発明の効果】
【００３５】
本発明によれば、インターネット上で得られる商品情報と、現実のショップから得られる商品情報とを一元管理でき、利用者の利便性を向上させる可能性がある。
【発明を実施するための最良の形態】
【００３６】
本発明に係る好適な実施形態の一例について、図面に基づいて以下に説明する。
【００３７】
［実施形態概念図］
図１は、本発明の好適な実施形態の一例に係るコンピュータシステムの全体概念図である。
【００３８】
ウォレットサーバ１０、プロキシサーバ２０、ＥＣサイトサーバ３０、利用者端末４０は、通信ネットワーク５０（インターネット、ＬＡＮ等）を介して接続されている。
【００３９】
通信ネットワーク５０は、専用線、モデムやターミナル・アダプタを介して接続するダイヤルアップ・ネットワーク、ＡＤＳＬ、光ケーブルによるものを含む有線によるネットワークにより実現してもよい。また、無線ＬＡＮ、携帯電話等の携帯端末向け無線ネットワークを含む無線によるネットワークにより実現してもよい。
【００４０】
また、通信ネットワーク５０を実現するための通信プロトコルとしては、ＴＣＰ／ＩＰ等のインターネットプロトコルをはじめとして、本発明を実施するために必要な情報通信を実現する様々な通信プロトコルが採用されてよい。さらに、ＳＯＡＰ（Ｓｉｍｐｌｅ  Ｏｂｊｅｃｔ  Ａｃｃｅｓｓ  Ｐｒｏｔｏｃｏｌ）等のＷｅｂサービス用のプロトコルを用いて実現してもよい。
【００４１】
［コンピュータの構成］
図２は、本発明の好適な実施形態の一例に係るコンピュータシステムを構成する各コンピュータ（ウォレットサーバ１０、またはプロキシサーバ２０、またはＥＣサイトサーバ３０、または利用者端末４０）の構成を示すブロック図である。
【００４２】
制御部１１０、記憶部１２０、入力部１３０、表示部１４０、通信制御部１５０は、バス１６０を介して接続されている。
【００４３】
制御部１１０は、情報の演算、処理を行う情報演算処理装置（ＣＰＵ）であり、当該コンピュータ全体の制御を行う。制御部１１０は、記憶部１２０に記憶された各種プログラムを適宜読み出して実行することにより、上述のハードウエアと協働し、本発明に係る各種機能を実現している。
【００４４】
記憶部１２０は、制御部１１０と組み合わせてプログラムの実行に使用するローカルメモリ、大容量のバルクメモリ、および当該バルクメモリの検索を効率的に行うために使用するキャッシュメモリを含んでよい。記憶部１２０を実現するコンピュータ可読媒体としては、電気的、磁気的、光学的、電磁的に実現するものを含んでよい。より具体的には、半導体記憶装置、磁気テープ、フロッピー（登録商標）ディスク、ランダム・アクセス・メモリ（ＲＡＭ）、リードオンリー・メモリ（ＲＯＭ）、ＣＤ−ＲＯＭとＣＤ−Ｒ／ＷとＤＶＤとを含む光ディスクが含まれる。
【００４５】
入力部１３０は、ユーザによる入力の受付を行うものであり、キーボード、ポインティング・デバイス等を含んでよい。入力部１３０は、直接または介在Ｉ／Ｏコントローラを介して当該コンピュータと接続することができる。
【００４６】
表示部１４０は、ユーザにデータの入力を受け付ける画面を表示したり、当該コンピュータによる演算処理結果の画面を表示したりするものであり、ブラウン管表示装置（ＣＲＴ）、液晶表示装置（ＬＣＤ）等のディスプレイ装置を含む。
【００４７】
通信制御部１５０は、当該コンピュータを専用ネットワークまたは公共ネットワークを介して別の演算処理システムまたは記憶装置と接続できるようにするためのネットワーク・アダプタである。通信制御部１５０は、モデム、ケーブル・モデムおよびイーサネット（登録商標）・アダプタを含んでよい。
【００４８】
［利用シーン］
図３は、本発明の好適な実施形態の一例に係るコンピュータシステムの利用シーンを示す図である。なお、詳細な処理手順は後述する。
【００４９】
ＥＣサイトサーバ３０にて管理される仮想ショップの商品データ及びその関連データは、プロキシサーバ２０を介して利用者端末４０にて閲覧される。当該商品データ及びその関連データは、利用者端末４０にて利用者より受け付ける現実のショップの商品データ及びその関連データと共に、ウォレットサーバ１０が収集し、ウォレットとして一元管理する。
【００５０】
利用者がインターネット上の仮想ショップにて情報検索し、商品データ及びその関連データを取得すると、ウォレットサーバ１０は記憶部１２０に持つデータベース（ウォレット）に当該商品データ及び関連データを保存する。あるいは、利用者が現実のショップにて商品データ及びその関連データを、例えば非接触ＩＣカードによる読み取りやＱＲコード（登録商標）の読み取りによって取得した場合、ウォレットサーバ１０は、利用者端末４０に備える赤外線通信装置等の入力部１３０より、当該商品データ及びその関連データを受け付け、記憶部１２０に持つウォレットに当該商品データ及び関連データを保存する。
【００５１】
ウォレットサーバ１０は、適宜利用者からの要求に応じて、当該ウォレットからデータを抽出し利用者端末４０に表示し、あわせて表示するツールバーにて機能選択を受け付けることにより、商品比較や購入の機能を提供する。
【００５２】
また、ウォレットサーバ１０は、当該ウォレットに蓄えたデータに基づき、購入履歴、口コミ情報、価格比較情報等を提供し、利用者による商品購入の決定を支援する。
【００５３】
そして、ウォレットサーバ１０は、決済手段とその履歴記憶手段及びデータ取り込み手段とを備えることにより、商品検索から購入・決済の方法を限定することなく、現実のショップとインターネット上の仮想ショップとを一元的に捉えることができる。
【００５４】
［ウォレット動作イメージ］
図４は、本発明の好適な実施形態の一例に係るウォレットの機能を実行するツールバーの動作を示す概念図である。
【００５５】
ウォレットに対応するＥＣサイトにおいて、商品検索の結果ページに設置してある特定のボタンの押下を受け付けることにより、ウォレットサーバ１０は、ツールバーを含めた商品ページを利用者端末４０へ送信する。ここで、商品ページはＥＣサイトより送信されるが、プロキシサーバ２０を経由させる。プロキシサーバ２０は、当該商品ページのＨＴＭＬ解析を行い、当該商品ページに設置されているリンクやボタンへの参照を検知・制御できるようにする。
【００５６】
このことにより、ウォレットサーバ１０は、利用者の操作履歴及び商品の検索履歴を把握・記録することができる。
【００５７】
利用者端末４０に表示した前記ツールバーには、購入、口コミ、比較、ブックマーク等のボタンを配置しておき、ボタンの押下を受け付けることで、ウォレットサーバ１０は、表示している商品に関連する当該ボタンの機能を実行する（詳細は後述する）。
【００５８】
［決済イメージ］
図５は、本発明の好適な実施形態の一例に係る商品検索から決済に至る機能を示す概念図である（処理の詳細は後述する）。
【００５９】
図４に示した様に、商品検索の結果、ウォレットサーバ１０は、ＥＣサイトの商品ページと共にツールバーを利用者端末４０に表示する。
【００６０】
ウォレットサーバ１０は、前記ツールバーに配置した購入ボタンの押下を受け付けることにより、表示している商品についての決済の処理を実行する。
【００６１】
ウォレットサーバ１０は、利用者からの決済方法の入力を受け付けるためのページを利用者端末４０に表示する。このとき、前回までの利用時に記憶しておいた決済方法を選択させるか、あるいは新規に入力を受け付けるとしてもよい。選択された決済方法あるいは入力された決済方法のデータ、及び当該商品の注文データを、当該ＥＣサイトにて管理される決済システムに対して送信する。
【００６２】
当該決済システムにて承認された場合、完了を示すページを利用者端末４０に表示すると共に、決済処理を終了する。
【００６３】
［商品ページ表示処理フロー］
図６は、本発明の好適な実施形態の一例に係る商品ページ表示処理を示すフローチャートである。この処理は、ＥＣサイトの商品検索結果ページに設置するボタンの押下により実行される。また、ブラウザのツールバーに同様のボタンを配置することとしてもよい。
【００６４】
ステップＳ１００では、ウォレットサーバ１０は、ＥＣサイトの商品ページのリクエストを送信する。
【００６５】
ステップＳ１０５では、プロキシサーバ２０が、当該ＥＣサイトから送信される商品ページを受信し、ＨＴＭＬ解析を行う。具体的には、当該商品ページに含まれるリンクやボタンを検知し、ページ移動等の際に当該商品ページ表示処理を行うようにする。あるいは当該商品ページのドキュメントから、次ステップにて記憶するためのデータを取得し、ウォレットサーバ１０が受信する（商品情報受信手段）。あるいはウォレットサーバ１０は、当該商品ページにレコメンド情報等の付加ドキュメントを埋め込む場所を確保する等の処理を行う。
【００６６】
ステップＳ１１０（ウォレット・データ記憶手段）では、ウォレットサーバ１０は、利用者によって検索・選択された商品についてのデータを保存する。具体的には、当該商品について、例えば記憶部１２０に記憶する図１０の商品テーブル６１に、商品ＩＤ、名称、仕様、写真、比較検索のためのキーワード等を保存する。
【００６７】
また、詳しくは後述する商品比較ページ表示処理に利用できるように、例えば図１１の価格比較テーブル６２に、店舗、価格、日付等を保存することとしてもよい。
【００６８】
あるいは、例えば図１２のブックマークテーブル６３に、利用者を識別するＩＤと共に商品ＩＤを保存し、利用者ごとの関心のある商品を記憶できるようにしてもよい。ウォレットサーバ１０は、ブックマークテーブル６３から当該利用者のデータを読み出すことにより、適宜、当該利用者のお気に入りの商品を選択表示することができる。なお、ブックマークテーブル６３への保存は、例えばツールバーのブックマークボタンの押下を受け付けることにより行うこととしてもよい。
【００６９】
ステップＳ１１５では、ウォレットサーバ１０は、当該商品に関連するデータを、記憶部１２０より読み出す。具体的には、例えば、当該商品を購入した他の利用者がその他に購入した商品データや、当該商品を扱う企業からの広告データや、バイヤーズガイド等のレコメンドデータを、ページ表示のために読み出す。
【００７０】
ステップＳ１２０では、ウォレットサーバ１０は、ステップＳ１０５にて取得した当該商品ページと、ステップＳ１１５にて取得した当該商品に関連するデータと、本発明の機能の選択を受け付けるツールバーと、を同一ページとして組み合わせる。ツールバーには、例えば、購入ボタン、口コミボタン、比較ボタン、ブックマークボタン等を配置する。
【００７１】
ステップＳ１２５では、ウォレットサーバ１０は、ステップＳ１２０にて生成したページを利用者端末４０に送信する（ウォレット・データ送信手段）。
【００７２】
そして、当該ページに組み込まれたツールバーに配置したボタンの押下を受け付けることにより、ウォレットサーバ１０は、後述のように、所定の機能を実行する（ツールバー機能実行手段）。
【００７３】
［商品比較ページ表示処理フロー］
図７は、本発明の好適な実施形態の一例に係る商品比較ページ表示処理を示すフローチャートである。この処理は、ツールバーの比較ボタンの押下を受け付けることにより開始される。
【００７４】
ステップＳ２００では、ウォレットサーバ１０は、商品比較のための条件入力を受け付けるページ（図示せず）を利用者端末４０に送信し、利用者からの入力を受け付ける。具体的には、例えば、商品カテゴリや商品を絞り込むための特徴（サイズ、重量等の商品仕様）の入力を受け付ける。
【００７５】
ステップＳ２０５では、ウォレットサーバ１０は、ステップＳ２００にて受け付けた条件に合う商品データを読み込む。具体的には、例えば、ウォレットサーバ１０は、商品テーブル６１（図１０）の仕様フィールド及びキーワードフィールドを参照し、当該条件と符合するデータが格納されている商品を探す。続いて、当該商品に関する名称、写真、仕様等のデータを読み込む。また、価格比較テーブル６２（図１１）から、当該商品のデータを読み込み、店舗ごとの価格比較データを読み込むこととしてもよい。
【００７６】
ステップＳ２１０では、ウォレットサーバ１０は、ステップＳ２０５にて読み込んだ商品データを整形し、利用者が閲覧する商品比較ページを生成する。
【００７７】
ステップＳ２１５では、ウォレットサーバ１０は、ステップＳ２１０にて生成した商品比較ページを利用者端末４０に送信し（ウォレット・データ送信手段）、利用者端末４０が当該商品比較ページを表示する。
【００７８】
ステップＳ２２０では、ウォレットサーバ１０は、ステップＳ２１５にて表示した画面において、利用者が商品を選択したか否かを判別する。ウォレットサーバ１０は、いずれかの商品の選択を受け付けた場合にはステップＳ２２５に処理を移し、商品の選択を受け付けない場合にはステップＳ２３０に処理を移す。
【００７９】
ステップＳ２２５では、ウォレットサーバ１０は、ステップＳ２２０にて受け付けた商品について、商品ページ表示処理（図６）を行う。
【００８０】
ステップＳ２３０では、ウォレットサーバ１０は、商品比較ページ表示処理を終了するか否かの選択を受け付ける。終了ボタンの押下を受け付ける等により、ウォレットサーバ１０は商品比較ページ表示処理を終了し、利用者端末４０は、当該処理前に表示していた商品ページへと表示を戻す。
【００８１】
［口コミページ表示処理フロー］
図８は、本発明の好適な実施形態の一例に係る口コミページ表示処理を示すフローチャートである。この処理は、ツールバーの口コミボタンの押下を受け付けることにより開始される。
【００８２】
ステップＳ３００では、ウォレットサーバ１０は、表示中の商品に関する口コミデータを記憶部１２０から読み込む。具体的には、例えば、図１５の商品口コミ情報テーブル６６から、表示中の当該商品に該当する日付、ユーザＩＤ、メッセージ等を読み込む。
【００８３】
ステップＳ３０５では、ウォレットサーバ１０は、ステップＳ３００にて読み込んだ口コミデータを整形し、利用者が閲覧する口コミページを生成する。
【００８４】
ステップＳ３１０では、ウォレットサーバ１０は、ステップＳ３０５にて生成した口コミページを利用者端末４０に送信し（ウォレット・データ送信手段）、利用者端末４０が当該口コミページを表示する。
【００８５】
ステップＳ３１５では、ウォレットサーバ１０は、利用者による追加の口コミデータの入力の受け付けがあったか否かを判別する。具体的には、例えば、ステップＳ３０５にて生成した口コミページに、利用者からの入力を受け付けるフィールドを付加しておく。利用者からの入力を受け付けた場合には、ステップＳ３２０に処理を移し、利用者からの入力を受け付けなかった場合にはステップＳ３２５に処理を移す。
【００８６】
ステップＳ３２０では、ウォレットサーバ１０は、ステップＳ３１５にて受け付けた利用者からの入力データを、商品口コミ情報テーブル６６（図１５）に保存する。
【００８７】
ステップＳ３２５では、ウォレットサーバ１０は、口コミページ表示処理を終了するか否かの選択を受け付ける。終了ボタンの押下を受け付ける等により、ウォレットサーバ１０は口コミページ表示処理を終了し、利用者端末４０は、当該処理前に表示していた商品ページへと表示を戻す。
【００８８】
［決済処理フロー］
図９は、本発明の好適な実施形態の一例に係る決済処理を示すフローチャートである。この処理は、ツールバーの購入ボタンの押下を受け付けることにより開始される。
【００８９】
ステップＳ４００では、ウォレットサーバ１０は、表示中の商品に関する価格、店舗等のデータを取得する。なお、前述の商品ページ表示処理において当該データを取得しておくとしてもよい。
【００９０】
ステップＳ４０５では、ウォレットサーバ１０は、当該商品に関連するデータを記憶部１２０に保存する。具体的には、例えば、前述の商品ページ表示処理（図６）において商品データの保存（ステップＳ１１０）を行わなかった場合に、商品テーブル６１（図１０）や、価格比較テーブル６２（図１１）や、ブックマークテーブル６３（図１２）にデータを保存する。
【００９１】
ステップＳ４１０では、ウォレットサーバ１０は、利用者により前回までに入力された決済方法を記憶したデータを読み込む。
【００９２】
ステップＳ４１５では、ウォレットサーバ１０は、ステップＳ４１０にて読み込んだ決済方法のデータを基に、利用者から決済方法の選択を受け付けるページを生成し、利用者端末４０に送信する（ウォレット・データ送信手段）。
【００９３】
ステップＳ４２０では、ウォレットサーバ１０は、利用者端末４０から利用者による決済方法の選択を受け付ける。ここで、選択された決済方法に使用するデータが、ステップＳ４１０にて読み込めていない場合には、当該データの入力を受け付ける画面を利用者端末４０に表示することとしてもよい。
【００９４】
ステップＳ４２５では、ウォレットサーバ１０は、利用者により選択された決済方法及び、当該決済方法に使用するデータの確認を促すページを生成し、利用者端末４０に送信する。
【００９５】
ステップＳ４３０では、ウォレットサーバ１０は、ステップＳ４２５にて表示したデータに基づき、決済を実行するか否かの選択を利用者より受け付ける。決済を実行する選択を受け付けた場合には、ステップＳ４３５に処理を移し、決済を実行しない選択を受け付けた場合には、決済処理を終了し、利用者端末４０は、当該処理前に表示していた商品ページへと表示を戻す。
【００９６】
ステップＳ４３５では、ウォレットサーバ１０は、当該商品に関する注文データ及び、前述のステップで生成した決済に使用するデータを、当該商品を販売するＥＣサイトの決済システムへ送信する。
【００９７】
ステップＳ４４０では、ウォレットサーバ１０は、当該決済システムから、決済の成否を示すデータを受信する。
【００９８】
ステップＳ４４５では、ウォレットサーバ１０は、決済の成否を判別する。具体的には、ステップＳ４４０にて決済が成立した旨のデータを受け取った場合には、ステップＳ４５０に処理を移し、決済が成立しなかった旨のデータを受け取った場合には、ステップＳ４１５に処理を戻す。
【００９９】
ステップＳ４５０では、ウォレットサーバ１０は、当該商品の購入に関するデータを記憶部１２０に保存する。具体的には、例えば、図１３の購入履歴テーブル６４に、利用者を識別するユーザＩＤと共に、店舗、商品ＩＤ、金額、日付等のデータを保存する（履歴データ記憶手段）。
【０１００】
また、例えば、商品購入に対する付加価値としてポイント（所定のポイント獲得により金券に交換できる等）を付与する場合は、図１４のポイントテーブル６５に、利用者を識別するユーザＩＤと共に、日付、ポイント等のデータを保存することとしてもよい。
【０１０１】
ステップＳ４５５では、ウォレットサーバ１０は、一連の決済処理が終了した旨のメッセージを表示するページを生成し、利用者端末４０に送信する。
【０１０２】
なお、一連の決済処理において、ウォレットサーバ１０は、前述のように決済方法を決定するためのページを生成することとしたが、決済方法決定の手続きは当該商品を販売するＥＣサイトが行い、ウォレットサーバ１０は、購入履歴データ等についてプロキシサーバ２０を介して取得することとしてもよい。
【０１０３】
［現実のショップからの商品情報の取得］
ここで、一連の商品検索、決済等の手続きは、前述のように現実のショップにおいても行われる。当該手続きの中で利用される商品データ、購入履歴データ等については、例えば、商品のＱＲ（Ｑｕｉｃｋ  Ｒｅｓｐｏｎｓｅ）コード（登録商標）の読み取り、非接触ＩＣカードによる読み取り、レシートの文字のＯＣＲによる読み取り等により、取得できる。
【０１０４】
携帯端末等により収集したこれらのデータは、例えば、前記ツールバーやブラウザに備える取り込みボタンの押下の受け付け等を契機として、利用者端末４０に備える読み取り装置（赤外線通信装置等）により当該利用者端末４０が取り込む。
【０１０５】
当該データは、ウォレットサーバ１０が受信し（商品情報受信手段）、商品テーブル６１（図１０）、価格比較テーブル６２（図１１）、ブックマークテーブル６３（図１２）、購入履歴テーブル６４（図１３）等に保存する。
【０１０６】
また、前記の商品購入に対する付加価値としてのポイントを、インターネット上のショップと現実のショップとで共有した場合、ウォレットサーバ１０は、当該ポイントについても現実のショップより取得し、例えばポイントテーブル６５（図１４）により一元管理することもできる。
【０１０７】
このように、本発明の方法、あるいは当該方法を実現するシステム及びプログラムを用いれば、インターネット上で得られる商品情報と、現実のショップから得られる商品情報とを一元管理でき、利用者の利便性を向上させる可能性がある。
【０１０８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１０９】
【図１】本発明の好適な実施形態の一例に係るコンピュータシステムの全体概念図である。
【図２】本発明の好適な実施形態の一例に係るコンピュータシステムを構成するコンピュータの構成を示すブロック図である。
【図３】本発明の好適な実施形態の一例に係るコンピュータシステムの利用シーンを示す図である。
【図４】本発明の好適な実施形態の一例に係るウォレットの機能を実行するツールバーの動作を示す概念図である。
【図５】本発明の好適な実施形態の一例に係る商品検索から決済に至る機能を示す概念図である。
【図６】本発明の好適な実施形態の一例に係る商品ページ表示処理を示すフローチャートである。
【図７】本発明の好適な実施形態の一例に係る商品比較ページ表示処理を示すフローチャートである。
【図８】本発明の好適な実施形態の一例に係る口コミページ表示処理を示すフローチャートである。
【図９】本発明の好適な実施形態の一例に係る決済処理を示すフローチャートである。
【図１０】本発明の好適な実施形態の一例に係る商品テーブル６１を示す図である。
【図１１】本発明の好適な実施形態の一例に係る価格比較テーブル６２を示す図である。
【図１２】本発明の好適な実施形態の一例に係るブックマークテーブル６３を示す図である。
【図１３】本発明の好適な実施形態の一例に係る購入履歴テーブル６４を示す図である。
【図１４】本発明の好適な実施形態の一例に係るポイントテーブル６５を示す図である。
【図１５】本発明の好適な実施形態の一例に係る商品口コミ情報テーブル６６を示す図である。
【符号の説明】
【０１１０】
１        コンピュータシステム
１０      ウォレットサーバ
１１０    制御部
１２０    記憶部
１３０    入力部
１４０    表示部
１５０    通信制御部
１６０    バス
２０      プロキシサーバ
３０      ＥＣサイトサーバ
４０      利用者端末
６１      商品テーブル
６２      価格比較テーブル
６３      ブックマークテーブル
６４      購入履歴テーブル
６５      ポイントテーブル
６６      商品口コミテーブル
【図１】
2007156806.tif 000003
【図２】
2007156806.tif 000004
【図３】
2007156806.tif 000005
【図４】
2007156806.tif 000006
【図５】
2007156806.tif 000007
【図６】
2007156806.tif 000008
【図７】
2007156806.tif 000009
【図８】
2007156806.tif 000010
【図９】
2007156806.tif 000011
【図１０】
2007156806.tif 000012
【図１１】
2007156806.tif 000013
【図１２】
2007156806.tif 000014
【図１３】
2007156806.tif 000015
【図１４】
2007156806.tif 000016
【図１５】
2007156806.tif 000017